(57)【要約】      （修正有）【課題】押しボタン部材を開口部に対して精密に位置決めでき、かつ、押しボタン部材を複数個設ける場合にも押しボタン部材同士の隙間を小さくできる押しボタン装置を提供する。【解決手段】パネル部材１に、一対の位置決め部１２を設ける。押しボタン装置の押しボタン部材２に、開放位置において第１パネル側位置決め面に当接する第１ボタン側位置決め面２１１と、開放位置において第２パネル側位置決め面１２２に当接する第２ボタン側位置決め面２１２と、を設ける。押しボタン部材２は、第１ボタン側位置決め面２１１が第１パネル側位置決め面に当接するとともに、第２ボタン側位置決め面２１２が第２パネル側位置決め面１２２に当接することによって、互いに交差する２つの方向（第１方向、第２方向）に位置決めされる。【選択図】図２
2008192325.tif 000002
【特許請求の範囲】
【請求項１】
開口を持つパネル部材と、
該パネル部材の後側に配置されるボタン本体部と、該ボタン本体部から該開口の内周側に向けて突出する操作端部と、を持ち、該操作端部が該開口の後側に押し込まれる押圧位置と該操作端部が該押圧位置よりも前側に配される開放位置との間を往復移動する少なくとも一個の押しボタン部材と、
該パネル部材に固定され、該押しボタン部材が該押圧位置に移動したときに該ボタン本体部の後面を支持する支持部材と、を持ち、
該パネル部材は、該開口の周縁部のなかで対向する２つの位置に形成され該パネル部材の後側に向けて突出する一対の位置決め部を、該押しボタン部材の個数に応じた少なくとも一組持ち、
該位置決め部は、該押しボタン部材の往復移動方向と直交する第１方向に該押しボタン部材を位置決めする第１パネル側位置決め面と、該往復移動方向と直交し該第１方向と交差する第２方向に該押しボタン部材を位置決めする第２パネル側位置決め面と、を持ち、
該ボタン本体部は、該開放位置において該第１パネル側位置決め面に当接する第１ボタン側位置決め面と、該開放位置において該第２パネル側位置決め面に当接する第２ボタン側位置決め面と、を持つことを特徴とする押しボタン装置。
【請求項２】
前記第１パネル側位置決め面は前記開口の外周側に向けて突出量が大きくなる傾斜面状をなし、前記第１ボタン側位置決め面は前記第１パネル側位置決め面に対応する傾斜面状をなす請求項１に記載の押しボタン装置。
【請求項３】
前記第２パネル側位置決め面と前記第２ボタン側位置決め面との一方は断面Ｖ字の傾斜面状をなし、他方は断面円弧状をなす請求項１に記載の押しボタン装置。
【発明の詳細な説明】
【技術分野】
【０００１】
本発明は、スイッチを押圧操作するための押しボタン装置に関する。
【背景技術】
【０００２】
電子回路基板や各種の上に組み付けられ、電子回路をオン／オフするためのスイッチは、押しボタン部材によって押圧操作するのが一般的である。押しボタン部材は、開口を持つパネル部材に取り付けられる。詳しくは、押しボタン部材は、パネル部材の後側に配置されるボタン本体部と、ボタン本体部から開口の内周側に向けて延びる操作端部とを持つ。パネル部材の後側にはスイッチが配設されている。操作端部を押圧して、押しボタン部材をパネル部材の後側に押し込むと、ボタン本体部がスイッチを押圧する（例えば、特許文献１参照）。
【０００３】
特許文献１には、上述したパネル部材と押しボタン部材とを備える押しボタン装置が紹介されている。特許文献１の押しボタン装置におけるパネル部材には、開口の周縁部からなりパネル部材の後側に向けて突出する部分（以下、位置決め部と呼ぶ）が形成されている。この位置決め部の先端には、開口の外周側に向けて突出高さが大きくなるパネル側傾斜面が形成されている。押しボタン部材には、パネル側傾斜面に対向する部分に、パネル側傾斜面に対応した形状のボタン側傾斜面が形成されている。特許文献１の押しボタン装置は、ボタン側傾斜面とパネル側傾斜面とによって、押しボタン部材を開口に対して位置決めする。
【０００４】
ところで近年では、押しボタン装置における開口の内周面と操作端部の外周面との隙間を小さくすることが要求されている。押しボタン装置の意匠性を向上させるためである。特許文献１に紹介されている押しボタン装置によると、押しボタン部材を開口に対して精密に位置決めするためには、パネル側傾斜面を押しボタン部材の外周側全周に設ける必要がある。すなわち位置決め部を、押しボタン部材の外周全周を取り囲む筒状にする必要がある。このため、押しボタン部材を複数個設ける場合には、押しボタン部材同士の隙間に位置決め部が介在する。したがって、特許文献１に紹介されている技術によると、押しボタン部材を複数個設ける場合にはボタン同士の隙間を小さくできず、意匠性に優れた押しボタン装置を得られない問題があった。
【特許文献１】特開２０００−３０６４６０号公報
【発明の開示】
【発明が解決しようとする課題】
【０００５】
本発明は上記事情に鑑みてなされたものであり、押しボタン部材を開口部に対して精密に位置決めでき、かつ、押しボタン部材を複数個設ける場合にも押しボタン部材同士の隙間を小さくできる押しボタン装置を提供することを目的とする。
【課題を解決するための手段】
【０００６】
上記課題を解決する本発明の押しボタン装置は、
開口１０を持つパネル部材１と、
パネル部材１の後側に配置されるボタン本体部２０と、ボタン本体部２０から開口１０の内周側に向けて突出する操作端部２１と、を持ち、操作端部２１が開口１０の後側に押し込まれる押圧位置と操作端部２１が押圧位置よりも前側に配される開放位置との間を往復移動する少なくとも一個の押しボタン部材２と、
パネル部材１に固定され、押しボタン部材２が押圧位置に移動したときにボタン本体部２０の後面を支持する支持部材３と、を持ち、
パネル部材１は、開口１０の周縁部のなかで対向する２つの位置に形成されパネル部材１の後側に向けて突出する一対の位置決め部（１１、１２）を、押しボタン部材２の個数に応じた少なくとも一組持ち、
位置決め部（１１、１２）は、押しボタン部材２の往復移動方向と直交する第１方向に押しボタン部材２を位置決めする第１パネル側位置決め面（１１１、１２１）と、往復移動方向と直交し第１方向と交差する第２方向に押しボタン部材２を位置決めする第２パネル側位置決め面（１１２、１２２）と、を持ち、
ボタン本体部２０は、開放位置において第１パネル側位置決め面（１１１、１２１）に当接する第１ボタン側位置決め面（２１１、２２１）と、開放位置において第２パネル側位置決め面（１１２、１２２）に当接する第２ボタン側位置決め面（２１２）と、を持つことを特徴とする。
【０００７】
本発明の押しボタン装置は、下記の（１）〜（２）の少なくとも一方を備えるのが好ましい。
（１）上記第１パネル側位置決め面（１１１、１２１）は上記開口１０の外周側に向けて突出量が大きくなる傾斜面状をなし、上記第１ボタン側位置決め面（２１１、２２１）は上記第１パネル側位置決め面（１１１、１２１）に対応する傾斜面状をなす。
（２）上記第２パネル側位置決め面（１１２、１２２）と上記第２ボタン側位置決め面（２１２、図略）との一方は断面Ｖ字の傾斜面状をなし、他方は断面円弧状をなす。
【発明の効果】
【０００８】
本発明の押しボタン装置における押しボタン部材は、第１ボタン側位置決め面が第１パネル側位置決め面に当接するとともに、第２ボタン側位置決め面が第２パネル側位置決め面に当接することによって、互いに交差する２つの方向（第１方向、第２方向）に位置決めされる。すなわち本発明の押しボタン装置は、一個の押しボタン部材を一対の位置決め部で精密に位置決めできる。このため本発明の押しボタン装置では、位置決め部を、押しボタン部材の全周を取り囲む形状にする必要はない。よって、押しボタン部材を複数個設ける場合にも、位置決め部を、押しボタン部材同士の隙間に介在させる必要がなくなる。すなわち、本発明の押しボタン装置によると、押しボタン部材を複数個設ける場合にも、押しボタン部材同士の隙間を小さくできる。
【０００９】
本発明の押しボタン装置が上記（１）を備える場合には、単純な形状の第１パネル側位置決め面および第１ボタン側位置決め面によって、押しボタン部材を第１方向に精密に位置決めできる。
【００１０】
本発明の押しボタン装置が上記（２）を備える場合には、単純な形状の第２パネル側位置決め面および第２ボタン側位置決め面によって、押しボタン部材を第２方向に精密に位置決めできる。
【発明を実施するための最良の形態】
【００１１】
本発明の押しボタン装置は、種々の方向に配置できる。例えば、パネル部材の前面を上側に向けても良いし、パネル部材の前面を側方に向けても良いし、パネル部材の前面を下方に向けても良い。また、本発明の押しボタン装置には、押しボタン部材を押圧位置から開放位置に戻すための付勢手段を設けても良いし、設けなくても良い。例えば、押しボタン部材がスイッチの反発力によって押圧位置から開放位置に戻る場合には、付勢手段は不要である。
【００１２】
本発明の押しボタン装置には、一個のみの押しボタン部材を設けても良いし、複数個の押しボタン部材を設けても良い。本発明の押しボタン装置に複数個の押しボタン部材を設ける場合には、一対の位置決め部を、押しボタン部材の個数に対応する複数組設ければ良い。すなわち、本発明の押しボタン装置における位置決め部は、一個の押しボタン部材につき一対設けられる。
【００１３】
本発明の押しボタン装置における支持部材は、嵌合、接着、ネジ止めなどの既知の方法でパネル部材に固定すればよい。
【実施例】
【００１４】
以下、本発明の押しボタン装置を図面を基に説明する。
【００１５】
（実施例１）
実施例１の押しボタン装置は、上記（１）および（２）を備える。実施例１の押しボタン装置を模式的に表す斜視図を図１に示す。実施例１の押しボタン装置を模式的に表す分解斜視図を図２に示す。実施例１の押しボタン装置を図１中Ａ−Ａ位置で切断した様子を模式的に表す断面図を図３〜図４に示す。実施例１の押しボタン装置を図１中Ｂ−Ｂ位置で切断した様子を模式的に表す断面図を図５〜図６に示す。なお、図３および図５は、押しボタン部材を開放位置に配した様子を表す。図４および図５は、一つの押しボタン部材を押圧位置に配した様子を表す。以下、実施例１において上、下、左、右、前、後とは、図１に示す上、下、左、右、前、後を指す。
【００１６】
実施例１の押しボタン装置は、パネル部材１と、４個の押しボタン部材２と、支持部材３とを持つ。
【００１７】
パネル部材１は略平板状をなす。パネル部材１の略中央部には、上下方向に延びる長方形の開口１０が設けられている。実施例１の押しボタン装置におけるパネル部材１は、開口１０の左側周縁部に形成されている左側位置決め部１１と、開口１０の右側周縁部に形成されている右側位置決め部１２と、からなる一対の位置決め部を、４組持つ。各位置決め部は、パネル部材１の上側から下側に向けて配列している。
【００１８】
左側位置決め部１１は、開口１０の左側周縁部に形成され、上側から下側に向けて延び、パネル部材１の後側に向けて突出する立壁状をなす。図３に示すように、左側位置決め部１１の突出端面は、開口１０の外周側（左側）に向けて突出量が大きくなる傾斜面状をなす。この突出端面が、左側位置決め部１１における第１パネル側位置決め面（左第１パネル側位置決め面１１１）となる。図５に示すように、左側位置決め部１１の突出端面のなかで、上下方向の略中央部は、断面略Ｖ字に肉抜きされている。この肉抜きされた部分の内面が、左側位置決め部１１における第２パネル側位置決め面（左第２パネル側位置決め面１１２）となる。左第２パネル側位置決め面１１２の外周側（左側）部分は、内周側（右側）部分に比べて、前側に配されている。すなわち、左第２パネル側位置決め面１１２は、断面略Ｖ字の傾斜面状をなすとともに、開口１０の外周側（左側）に向けて突出量が大きくなる傾斜面状をなす。
【００１９】
右側位置決め部１２は、左側位置決め部１１と面対称である。すなわち、右側位置決め部１２の第１パネル側位置決め面（右第１パネル側位置決め面１２１）は、開口１０の外周側（右側）に向けて突出量が大きくなる傾斜面状をなす。右側位置決め部１２の第２パネル側位置決め面（右第２パネル側位置決め面１２２）は、断面略Ｖ字の傾斜面状をなすとともに、開口１０の外周側（右側）に向けて突出量が大きくなる傾斜面状をなす。
【００２０】
押しボタン部材２は、有底の略角筒状をなす。押しボタン部材２のなかで後側の部分がボタン本体部２０であり、前側の部分が操作端部２１である。図１および図２に示すように、操作端部２１は閉口している。図３および図４に示すように、ボタン本体部２０の後端部は開口している。操作端部２１の左右方向の長さは、開口１０の左右方向の長さよりも僅かに小さい。ボタン本体部２０の左右方向の長さは、操作端部２１の左右方向の長さおよび開口１０の左右方向の長さよりも大きい。ボタン本体部２０は、パネル部材１の後側に配置されている。操作端部２１は、開口１０の内周側に配置されている。
【００２１】
ボタン本体部２０の左側部分には、開口１０部の内周側（右側）に向けて突出量が大きくなる傾斜面が形成されている。ボタン本体部２０の右側部分には、開口１０部の内周側（左側）に向けて突出量が大きくなる傾斜面が形成されている。すなわち、ボタン本体部２０の左側部分には、左第１パネル側位置決め面１１１と対応した形状の第１ボタン側位置決め面（左第１ボタン側位置決め面２１１）が形成されている。ボタン本体部２０の右側部分には、右第１パネル側位置決め面１２１と対応した形状の第１ボタン側位置決め面（右第１ボタン側位置決め面２２１）が形成されている。
【００２２】
ボタン本体部２０の左側部分には、左第１ボタン側位置決め面２１１よりも前方に突起する断面略円弧状の左第２ボタン側位置決め面２１２が形成されている。左第２ボタン側位置決め面２１２の内周側（右側）部分は、外周側（左側）部分に比べて前方に配されている。すなわち、左第２ボタン側位置決め面２１２は、断面略円弧状をなすとともに、開口１０部の内周側（右側）に向けて突出量が大きくなる傾斜面状をなす。ボタン本体部２０の右側部分は、左側部分と面対称である。詳しくは、ボタン本体部２０の右側部分には、右第１ボタン側位置決め面２２１よりも前方に突起する断面略円弧状の右第２ボタン側位置決め面（図略）が形成されている。図３に示すように、ボタン本体部２０の後端部には、後側に突出する押圧端部２３が形成されている。
【００２３】
支持部材３は略箱状をなす。図２に示すように、支持部材３の内部には、枠状の第１リブ３１と、立壁状の第２リブ３２とが上下方向に沿って交互に配設されている。第１リブ３１の内径は、ボタン本体部２０の内径よりも僅かに小さい。図３および図５に示すように、第１リブ３１はボタン本体部２０の内部に挿入されている。第２リブ３２は、隣接する押ボタン部材２同士の隙間に介在している。第１リブ３１および第２リブ３２の突出高さは、ボタン本体部２０の高さ（上下方向の長さ）よりも短い。支持部材３の底壁のなかで、各押しボタン部材２の押圧端部２３に対応した位置には、貫通孔状の押圧用開口３３が形成されている。支持部材３の側壁頂面には、フランジ３４が形成されている。
【００２４】
実施例１の押しボタン装置は、先ず各押しボタン部材２を支持部材３に取り付け、次いで支持部材３をパネル部材１に取り付けることで組み立てられる。すなわち、押しボタン部材２をパネル部材１と支持部材３とで挟み込んで一体化する。このため、押しボタン部材２と支持部材３とパネル部材１とを一体化する組み付け作業は、非常に容易である。なお、実施例１の押しボタン装置では、フランジ３４の前面をパネル部材１の後面に接着することで、支持部材３をパネル部材１に固定している。
【００２５】
実施例１の押しボタン装置におけるボタン本体部２０は、操作端部２１が開口１０の後側に押し込まれる押圧位置（図４および図６に示す）と、操作端部２１が押圧位置よりも前側に配される開放位置（図３および図５に示す）と、の間を往復移動する。操作端部２１の前面は、開放位置において、パネル部材１の前面と面一に配置される。また、操作端部２１の前面は、押圧位置において、パネル部材１の前面よりもやや後側に配置される。
【００２６】
押圧端部２３を指で押し、押しボタン部材２を押圧位置に移動させると、図４および図６に示すように、ボタン本体部２０の後面２００は、支持部材３の底壁前面３００に接触する。したがって、ボタン本体部２０の後面２００は、支持部材３によって支持される。このときボタン本体部２０の押圧端部２３は、支持部材３の押圧用開口３３を経て、支持部材３よりも後側に突出する。したがって押しボタン部材２が押圧位置に移動すると、押圧端部２３は支持部材３の後側に配設されているスイッチ４を押圧する。また、押圧端部２３から指をはなすと、押しボタン部材２は、スイッチ４の反発力によって前方に押圧され、押圧位置から開放位置に移動する。
【００２７】
押しボタン部材２が押圧位置から開放位置に移動すると、図３に示すように、各押しボタン部材２の左第１ボタン側位置決め面２１１が、各左第１パネル側位置決め面１１１に当接する。また、各押しボタン部材２の右第１ボタン側位置決め面２２１が、各右第１パネル側位置決め面１２１に当接する。左第１ボタン側位置決め面２１１と左第１パネル側位置決め面１１１とが当接し、右第１ボタン側位置決め面２２１と右第１パネル側位置決め面１２１とが当接することで、押しボタン部材２は、左右方向（すなわち第１方向）に位置決めされる。
【００２８】
また、図５に示すように、押しボタン部材２が押圧位置から開放位置に移動すると、各押しボタン部材２の左第２ボタン側位置決め面２１２が、各左第２パネル側位置決め面１１２に当接する。また、各押しボタン部材２の右第２ボタン側位置決め面（図略）が、各右第２パネル側位置決め面１２２に当接する。左第２ボタン側位置決め面２１２と左第２パネル側位置決め面１１２とが当接し、右第２ボタン側位置決め面（図略）と右第２パネル側位置決め面１２２とが当接することで、押しボタン部材２は、上下方向（すなわち第２方向）に位置決めされる。
【００２９】
例えば、スイッチ４の反発力によって、押しボタン部材２が右前方に向けて押圧された場合、移動初期には、右第１ボタン側位置決め面２２１は右第１パネル側位置決め面１２１に当接するが、左第１ボタン側位置決め面２１１は左第１パネル側位置決め面１１１に当接しない。しかし、右第１ボタン側位置決め面２２１が右第１パネル側位置決め面１２１に摺接することで、押しボタン部材２は左前方に向けて案内される。このため、押しボタン部材２の開口１０に対する左右方向（第１方向）の位置は、精密に位置決めされる。
【００３０】
また、例えば、スイッチ４の反発力によって、押しボタン部材２が上前方に向けて押圧された場合、移動初期には、左第２ボタン側位置決め面２１２が左第２パネル側位置決め面１１２の上側部分（上面１１２ａと呼ぶ）にのみ当接し、左第２パネル側位置決め面１１２の下側部分（下面１１２ｂと呼ぶ）には当接しない。また、右第２ボタン側位置決め面（図略）が右第２パネル側位置決め面１２２の上面１２２ａにのみ当接し、右第２パネル側位置決め面１２２の下面１２２ｂには当接しない。しかし、左第２ボタン側位置決め面２１２が左第２パネル側位置決め面１１２の上面１１２ａに摺接するとともに、右第２ボタン側位置決め面（図略）が右第２パネル側位置決め面１２２の上面１２２ａに摺接することで、押しボタン部材２は下前方に向けて案内される。このため、押しボタン部材２の開口１０に対する上下方向（第２方向）の位置は、精密に位置決めされる。
【００３１】
よって、実施例１の押しボタン装置によると、押しボタン部材２が第１方向と第２方向との２方向に位置決めされるため、押しボタン部材２を開口１０部に対して精密に位置決めできる。
【００３２】
また、一個の押しボタン部材２を一対の位置決め部によって位置決めできるため、位置決め部を押しボタン部材２同士の隙間に形成する必要がない。したがって、実施例１の押しボタン装置によると、押しボタン部材２同士の隙間を小さくできる。
【００３３】
なお、実施例１の押しボタン装置における第１方向は左右方向であり、２つの第１パネル側位置決め面（１１１、１２１）が向き合う方向と一致している。したがって、２つの第１パネル側位置決め面（１１１、１２１）が向き合う方向を変更すれば、第１方向を種々の方向に設定できる。また、実施例１の押しボタン装置における第２方向は上下方向であり、第２パネル側位置決め面の上面（１１２ａ、１２２ａ）と下面（１１２ｂ、１２２ｂ）とが向き合う方向と一致している。したがって、上面１１２ａと下面１１２ｂとが向き合う方向および、上面１２２ａと下面１２２ｂとが向き合う方向を変更すれば、第２方向を種々に設定できる。
【００３４】
（実施例２）
実施例２の押しボタン装置は、支持部材の第２リブがなく、押しボタン部材が互いに近接していること以外は、実施例１の押しボタン装置と同じである。実施例２の押しボタン装置を図１中Ｂ−Ｂ位置と同位置で切断した様子を模式的に表す断面図を図７に示す。
【００３５】
実施例２の押しボタン装置における支持部材３は、図７に示すように、第１リブ３１のみを持ち、第２リブを持たない。したがって、隣接する押しボタン部材２同士の隙間を、実施例１の押しボタン装置に比べて、さらに小さくすることができる。
【００３６】
なお、実施例２の押しボタン装置においても、押しボタン部材２が第１の方向と第２の方向とに位置決めされる。このため、隣接する押しボタン部材２同士の隙間を小さくしても、隣接する押しボタン同士が互いに引っ掛かることはない。
【００３７】
（実施例３）
実施例３の押しボタン装置は、第２押しボタン側位置決め面の形状以外は、実施例１の押しボタン装置と同じである。実施例３の押しボタン装置を図１中Ｂ−Ｂ位置と同位置で切断した様子を模式的に表す断面図を図８に示す。
【００３８】
実施例３の押しボタン装置における第２押しボタン側位置決め面は、第２パネル側位置決め面の上面（パネル側上面１１２ａ）に対応した形状の上面（ボタン側上面２１２ａ）と、第２パネル側位置決め面の下面（パネル側下面１１２ｂ）に対応した形状の下面（ボタン側下面２１２ｂ）とを持つ。すなわち、実施例３の押しボタン装置における第２押しボタン側位置決め面は、第２パネル側位置決め面に対応した傾斜面状をなす。
【００３９】
実施例３の押しボタン装置では、押しボタン部材２が押圧位置から開放位置に移動する際に、ボタン側上面２１２ａがパネル側上面１１２ａに案内され、ボタン側下面２１２ｂがパネル側下面１１２ｂに案内される。このため、実施例３の押しボタン装置でも、押しボタン部材２が上下方向（第２方向）に精密に位置決めされる。
【００４０】
（実施例４）
実施例４の押しボタン装置は、第２パネル側位置決め面の形状以外は、実施例１の押しボタン装置と同じである。実施例４の押しボタン装置を図１中Ｂ−Ｂ位置と同位置で切断した様子を模式的に表す断面図を図９に示す。
【００４１】
実施例４の押しボタン装置における第２パネル側位置決め面は、上面（パネル側上面１１２ａ）と下面（パネル側下面１１２ｂ）とがそれぞれ断面略円弧状をなす。
【００４２】
実施例４の押しボタン装置では、押しボタン部材２が押圧位置から開放位置に移動する際に、第２ボタン側位置決め部２１２のなかで上側の部分２１２ａがパネル側上面１１２ａに案内され、第２ボタン側位置決め部２１２のなかで下側の部分２１２ｂがパネル側下面１１２ｂに案内される。このため、例えばスイッチ４の反発力によって押しボタン部材２が上前方に向けて押圧された場合、移動初期には、第２ボタン側位置決め部２１２のなかで上側の部分２１２ａはパネル側上面１１２ａに当接するが、第２ボタン側位置決め部２１２のなかで下側の部分２１２ｂはパネル側下面１１２ｂに当接しない。しかし、第２ボタン側位置決め部２１２のなかで上側の部分２１２ａがパネル側上面１１２ａに摺接し、下前方に向けて案内されるため、押しボタン部材２もまた上前方に向けて案内される。このため、実施例４の押しボタン装置においても、押しボタン部材２は上下方向（第２方向）に精密に位置決めされる。
【００４３】
（実施例５）
実施例５の押しボタン装置は、第２パネル側位置決め面および第２押しボタン側位置決め面の形状以外は、実施例１の押しボタン装置と同じである。実施例５の押しボタン装置を図１中Ｂ−Ｂ位置と同位置で切断した様子を模式的に表す断面図を図１０に示す。
【００４４】
実施例５の押しボタン装置における第２パネル側位置決め面１１２は、後方に向けて突起する断面略円弧状をなす。第２ボタン側位置決め面２１２は、断面略Ｖ字状をなす。実施例５の押しボタン装置では、押しボタン部材２が押圧位置から開放位置に移動する際に、ボタン側上面２１２ａが第２パネル側位置決め面の上側部分１１２ａに案内され、ボタン側下面２１２ｂが第２パネル側位置決め面の下側部分１１２ｂに案内される。したがって、例えばスイッチ４の反発力によって押しボタン部材２が上前方に向けて押圧された場合、移動初期には、ボタン側下面１１２ｂは第２パネル側位置決め面１１２に当接するが、ボタン側上面１１２ａは第２パネル側位置決め面１１２に当接しない。しかし、ボタン側下面１１２ｂが第２パネル側位置決め面１１２に摺接し、下前方に向けて案内されるため、押しボタン部材２もまた上前方に向けて案内される。このため、実施例５の押しボタン装置においても、押しボタン部材２は上下方向（第２方向）に精密に位置決めされる。
【図面の簡単な説明】
【００４５】
【図１】実施例１の押しボタン装置を模式的に表す斜視図である。
【図２】実施例１の押しボタン装置を模式的に表す分解斜視図である。
【図３】実施例１の押しボタン装置を図１中Ａ−Ａ位置で切断した様子を模式的に表す断面図である。
【図４】実施例１の押しボタン装置を図１中Ａ−Ａ位置で切断した様子を模式的に表す断面図である。
【図５】実施例１の押しボタン装置を図１中Ｂ−Ｂ位置で切断した様子を模式的に表す断面図である。
【図６】実施例１の押しボタン装置を図１中Ｂ−Ｂ位置で切断した様子を模式的に表す断面図である。
【図７】実施例２の押しボタン装置を図１中Ｂ−Ｂ位置と同位置で切断した様子を模式的に表す断面図である。
【図８】実施例３の押しボタン装置を図１中Ｂ−Ｂ位置と同位置で切断した様子を模式的に表す断面図である。
【図９】実施例４の押しボタン装置を図１中Ｂ−Ｂ位置と同位置で切断した様子を模式的に表す断面図である。
【図１０】実施例２の押しボタン装置を図１中Ｂ−Ｂ位置と同位置で切断した様子を模式的に表す断面図である。
【符号の説明】
【００４６】
１：パネル部材
２：押しボタン部材
３：支持部材
４：スイッチ
１０：開口
１１、１２：位置決め部
２０：ボタン本体部
２１：操作端部
１１１、１２１：第１パネル側位置決め面
１１２、１２２：第２パネル側位置決め面
２１１、２２１：第１ボタン側位置決め面
２１２：第２ボタン側位置決め面
【図１】
2008192325.tif 000003
【図２】
2008192325.tif 000004
【図３】
2008192325.tif 000005
【図４】
2008192325.tif 000006
【図５】
2008192325.tif 000007
【図６】
2008192325.tif 000008
【図７】
2008192325.tif 000009
【図８】
2008192325.tif 000010
【図９】
2008192325.tif 000011
【図１０】
2008192325.tif 000012